(57)【特許請求の範囲】
【請求項１】
実質的に不透液性のベースシートと、前記ベースシートの内面に取り付けられた吸液性パネルとから構成され、縦方向に前胴周り域および後胴周り域と、それら胴周り域の間に位置する股下域とを備え、前記パネルの両端縁の外側を横方向へ延びるエンドフラップと、前記パネルの両側縁の外側を前記縦方向へ延びるサイドフラップとを有する使い捨ておむつにおいて、
前記前胴周り域に近接する股下域前部及び前記後胴周り域に近接する股下域後部の少なくとも一方において、前記ベースシートと前記パネルとが、互いに横方向へ延び、かつ縦方向に離間する２条の折曲部において断面Ｚ字状に折り曲げられてプリーツを形成しており、そのプリーツの両側部分が前記サイドフラップに固定されていることを特徴とする前記おむつ。
【請求項２】
防漏カフが、前記サイドフラップに配置され、前記パネルの側縁に沿って縦方向へ延びている請求項１記載の前記おむつ。
【発明の詳細な説明】
【０００１】
【発明の属する技術分野】
本発明は、排泄物を吸収、保持する使い捨ておむつに関する。
【０００２】
【従来の技術】
透液性トップシートと、不透液性ベースシートと、それらシートの間に介在する吸液性パネルとから構成され、縦方向に前胴周り域および後胴周り域と、それら胴周り域の間に位置する股下域とを備え、パネルの両端縁の外側を横方向へ延びるエンドフラップと、パネルの両側縁の外側を縦方向へ延びるサイドフラップとを有する開放型の使い捨ておむつは公知である。後胴周り域のサイドフラップには、一対のテープファスナが取り付けられている。前胴周り域におけるベースシートの外面には、テープファスナを着脱可能に止着するターゲットテープが取り付けられている。
【０００３】
おむつを着用するには、後胴周り域のサイドフラップを前胴周り域のサイドフラップの外側に重ね合わせ、テープファスナをターゲットテープに止着してそれら胴周り域を連結する。前後胴周り域が連結されたおむつには、胴周り開口と一対の脚周り開口とが画成される。そのようなおむつとしては、特開平１０−２４０６６号公報、特開平１０−２４０６０号公報、特開平１０−４３２３４号公報に開示されている。
【０００４】
【発明が解決しようとする課題】
前記おむつでは、排泄物の漏れを防ぐため、吸液性パネルに排泄物を直ちに吸収、保持させる必要がある。そのためには、おむつの着用中にその内面が着用者の肌に接触していなければならない。おむつでは、それを着用した着用者が蒲団に寝ている状態で前後に動くと、おむつと蒲団との接触面に生ずる摩擦力によっておむつの前後胴周り域の一方が着用者の胴周りからずれ下がってしまう場合がある。おむつでは、それら胴周り域の一方が胴周りからずれ下がると、おむつの内面が着用者の肌から離間し、排泄物がパネルに吸収され難くなり、排泄物の漏れの原因となる。
【０００５】
本発明の課題は、着用中に前後胴周り域が着用者の胴周りからずれ下がってしまうことを防ぐことができ、排泄物を吸液性パネルに確実に吸収、保持させることができる使い捨ておむつを提供することにある。
【０００６】
【課題を解決するための手段】
前記課題を解決するための本発明の前提は、実質的に不透液性のベースシートと、前記ベースシートの内面に取り付けられた吸液性パネルとから構成され、縦方向に前胴周り域および後胴周り域と、それら胴周り域の間に位置する股下域とを備え、前記パネルの両端縁の外側を横方向へ延びるエンドフラップと、前記パネルの両側縁の外側を前記縦方向へ延びるサイドフラップとを有する使い捨ておむつである。
【０００７】
かかる前提における本発明の特徴は、前記前胴周り域に近接する股下域前部及び前記後胴周り域に近接する股下域後部の少なくとも一方において、前記ベースシートと前記パネルとが、互いに横方向へ延び、かつ縦方向に離間する２条の折曲部において断面Ｚ字状に折り曲げられてプリーツを形成しており、そのプリーツの両側部分が前記サイドフラップに固定されていること、にある。
【０００８】
本発明の実施の態様の一例としては、防漏カフが、前記サイドフラップに配置され、前記パネルの側縁に沿って縦方向へ延びている。
【０００９】
【発明の実施の形態】
添付の図面を参照し、本発明にかかる使い捨ておむつの詳細を説明すると、以下のとおりである。
【００１０】
図１，２は、トップシート２の側から示すおむつ１の部分破断斜視図と、図１のＡ−Ａ線断面図とであり、図３，４は、図１のＢ−Ｂ線断面図と、図１のＣ−Ｃ線断面図とである。図１では、横方向を矢印Ｘで示し、前後方向を矢印Ｙで示す。なお、トップシート２やベースシート３における内面とは、パネル４に対向する面をいい、それらシート２，３の外面とは、パネル４に非対向の面をいう。
【００１１】
おむつ１は、透液性トップシート２と、実質的に不透液性のベースシート３と、それらシート２，３の間に介在する吸液性パネル４とを主要な構成部材とする。おむつ１は、それら構成部材の他に、実質的に不透液性の一対の防漏カフ５を有する。
【００１２】
おむつ１は、縦方向に前胴周り域２０および後胴周り域２２と、それら胴周り域２０，２２の間に位置する股下域２１とを有する。おむつ１は、パネル４の両端縁４ａの外側を横方向へ延びる一対のエンドフラップ６と、パネル４の両側縁４ｂの外側を縦方向へ延び、股下域２１においておむつ１の横方向内方へ向かって実質的に弧を画く一対のサイドフラップ７とを有する。
【００１３】
おむつ１には、前胴周り域２０に近接する股下域前部２１ａを横方向へ延びるプリーツ８と、後胴周り域２２に近接する股下域後部２１ｂを横方向へ延びるプリーツ９とが形成されている。
【００１４】
プリーツ８，９は、トップシート２およびベースシート３とパネル４とを折り畳むことによって画成されている。プリーツ８，９では、それらシート２，３とパネル４とが互いに横方向へ延び、かつ縦方向へ離間する２条の折曲部１０，１１において断面Ｚ字状に折曲されている。
【００１５】
それらプリーツ８，９は、ベースシート３の外面外方へ向かって延出するとともに、プリーツ８が前胴周り域２０に延びるエンドフラップ６の側へ倒伏し、プリーツ９が後胴周り域２２に延びるエンドフラップ６の側へ倒伏している。プリーツ８，９では、サイドフラップ７に延びる両側部分８ａ，９ａがホットメルト型接着剤１２を介して展開不能に固定されている。
【００１６】
パネル４は、その全体がティッシュペーパー（図示せず）に被覆、接合され、ティッシュペーパーを介してトップシート２とベースシート３との内面に接合されている。
【００１７】
防漏カフ５は、サイドフラップ７に配置されて、パネル４の側縁に沿って縦方向へ延びている。カフ５は、パネル４の両側縁４ａの外側近傍を縦方向へ延びる固定縁部５ａと、トップシート２の上方へ起立性向を有する自由縁部５ｂと、おむつ１の横方向内方へ倒伏された固定両端部５ｃとを有する。カフ５では、固定縁部５ａからおむつ１の横方向外方へ側部５ｄが延びている。自由縁部５ｂには、縦方向へ延びる弾性部材１３が伸長状態で取り付けられている。弾性部材１３は、自由縁部５ｂの一部に被覆されている。
【００１８】
エンドフラップ６には、横方向へ延びる帯状の胴周り用弾性部材１４が伸長状態で取り付けられている。股下域２１に延びるサイドフラップ７には、縦方向へ延びる複数条の脚周り用弾性部材１５が伸長状態で取り付けられている。
【００１９】
エンドフラップ６では、図２に示すように、トップシート２の端部２ａとベースシート３の端部３ａとがパネル４の端縁４ａから縦方向外方へ延び、それら端部２ａ，３ａが互いに重なり合った状態で固着されている。胴周り用弾性部材１３は、トップシート２の端部２ａとベースシート３の端部３ａとの間に介在し、それら端部２ａ，３ａに固着されている。カフ５の固定両端部５ｃは、トップシート２の端部２ａに固着されている。
【００２０】
サイドフラップ７では、図３に示すように、トップシート２の側部２ｂがパネル４の側縁４ｂから横方向外方へわずかに延び、側部２ｂからさらに横方向外方へベースシート３の側部３ｂとカフ５の側部５ｄとが延びている。側部２ｂは、側部３ｂと側部５ｄとの間に介在し、それら側部３ｂ，５ｄに固着されている。側部３ｂと側部５ｄとは、側部２ｂから横方向外方へ延びる部分が互いに重なり合った状態で固着されている。脚周り用弾性部材１４は、ベースシート３の側部３ｂとカフ５の側部５ｄとの間に介在し、それら側部３ｂ，５ｄに固着されている。カフ５の固定縁部５ａは、トップシート２の側部２ｂに固着されている。
【００２１】
後胴周り域２２のサイドフラップ７には、横方向内方へ延びるテープファスナ１６が取り付けられている。テープファスナ１６の基端部は、ベースシート３の側部３ｂとカフ５の側部５ｄとの間に介在し、それら側部３ｂ，５ｄに固着されている。テープファスナ１６の自由端部には、粘着剤（図示せず）が塗布されている。前胴周り域２０におけるベースシート３の外面には、プラスチックフィルムからなる矩形のターゲットテープ１７が取り付けられている。ターゲットテープ１７は、テープファスナ１６に対する止着域となる。
【００２２】
図５，６は、前後胴周り域２０，２２を連結した着用状態で示すおむつ１の斜視図である。図５，６では、おむつ１を着用した着用者１８が一点鎖線で示す蒲団１９に仰向けに寝ている状態を表している。おむつ１を着用するには、後胴周り域２２のサイドフラップ６を前胴周り域２０のサイドフラップ６の外側に重ね合わせ、粘着剤を介してテープファスナ１６の自由端部をターゲットテープ１７に止着し、それら胴周り域２０，２２を連結する。前後胴周り域２０，２２が連結されたおむつ１には、胴周り開口と一対の脚周り開口とが画成される。
【００２３】
おむつ１では、着用者１８が矢印Ｚ１に示す方向へ動いた場合、おむつ１と蒲団１９との接触面に生ずる摩擦力によって、おむつ１の後胴周り域２２が着用者１８の胴周りからずれ下がろうとする。しかし、おむつ１では、後胴周り域２２がずれ下がる前に、図５に二点鎖線で示すプリーツ９が矢印Ｚ２の方向へ展開して後胴周り域２２のずれ下がりを防止する。
【００２４】
また、おむつ１では、着用者１８が矢印Ｚ３に示す方向へ動いた場合、おむつ１の前胴周り域２０が着用者１７の胴周りからずれ下がろうとする。しかし、おむつ１では、前胴周り域２０がずれ下がる前に、図５に二点鎖線で示すプリーツ８が矢印Ｚ４の方向へ展開して前胴周り域２０のずれ下がりを防止する。
【００２５】
おむつ１では、プリーツ８，９が股下域前部２１ａと股下域後部２１ｂとに形成されているが、プリーツ８，９が股下域前部２１ａと股下域後部２１ｂとのいずれか一方に形成されていてもよい。
【００２６】
おむつ１では、図２に示すように、それらプリーツ８，９がエンドフラップ６の側へ倒伏し、前後胴周り域２０，２２が股下域前後部２１ａ，２１ｂよりも図２の上方に位置しており、前後胴周り域２０，２２と股下域前後部２１ａ，２１ｂとの間に段差が生じている。
【００２７】
股下域２１に排泄された排泄物が前後胴周り域２０，２２に移行するには、段差を乗り越えなければならない。ゆえに、おむつ１では、股下域２１から前後胴周り域２０，２２へ排泄物が移行し難く、排泄物の前後胴周り域２０，２２への拡散を防ぐことができる。
【００２８】
おむつ１では、それがトップシート２を内側にして縦方向へ湾曲すると、弾性部材１２が収縮し、カフ５の自由縁部５ｂがトップシート２の上方へ起立する。おむつ１では、起立した自由縁部５ｂが排泄物に対する障壁を形成し、サイドフラップ７からの排泄物の漏れを防ぐことができる。
【００２９】
トップシート２には、親水性繊維不織布、または、微細な多数の開孔を有するプラスチックフィルムを使用することができる。ベースシート３には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。防漏カフ５には、疎水性繊維不織布を使用することができる。
【００３０】
ベースシート３やカフ５には、高い耐水性を有するメルトブローン法による繊維不織布を、高い強度を有しかつ柔軟性に富んだスパンボンド法による繊維不織布で挟んだ複合不織布を使用することもできる。
【００３１】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維またはサイドバイサイド型複合繊維を使用することができる。
【００３２】
パネル４は、粉砕パルプと高吸収性ポリマー粒子との混合物、または、粉砕パルプと高吸収性ポリマー粒子と熱可塑性合成樹脂繊維との混合物であり、所要の厚みに圧縮されている。ポリマー粒子としては、デンプン系、セルロース系、合成ポリマー系のものを使用することができる。
【００３３】
おむつ１では、トップシート２は必ずしも必要ではなく、それがベースシート３と吸液性パネル４とから構成されていてもよい。この場合、パネル４としては、圧縮復元弾性を有する繊維ウェブの繊維間隙に高吸収性ポリマー粒子を分散、保持させ、繊維ウェブを所要の厚みに圧縮して形態安定性を付与したものを使用することが好ましい。繊維ウェブの構成繊維としては、ポリプロピレンやポリエチレン等のポリオレフィン系繊維、ポリエチレンテレフタレートやポリブチレンテレフタレート等のポリエステル系繊維、ナイロン６６やナイロン６等のポリアミド系繊維、アクリル系繊維、開繊パルプやレーヨン、アセテート等のセルロース系繊維のうちのいずれかを使用することができる。
【００３４】
トップシート２とベースシート３との固着、防漏カフ５の固着、パネル４の接合、弾性部材１２，１３，１４の取り付けには、ホットメルト型接着剤、または、ヒートシールや超音波接合等の熱による溶着手段を使用することができる。
【００３５】
【発明の効果】
本発明にかかる使い捨ておむつによれば、それに横方向へ延びるプリーツを形成することによって、おむつに縦方向へ延び得る余裕が生じる。おむつでは、それが蒲団や床面と摺接し、おむつの前後胴周り域の一方が着用者の胴周りからずれ下がろうとしても、それら胴周り域がずれ下がる前に、プリーツが縦方向へ展開して前後胴周り域のずれ下がりを防止する。おむつでは、前後胴周り域のずれ下がりを防ぐことができるので、着用中におむつの内面が着用者の肌から離間することはなく、おむつの内面と着用者の肌との接触状態が維持され、吸液性パネルに排泄物を直ちに吸収、保持させることができる。
【００３６】
プリーツがエンドフラップの側へ倒伏しているおむつでは、前後胴周り域と股下域前後部との間に段差が生じるので、排泄物が股下域から前後胴周り域へ移行し難く、排泄物の前後胴周り域への拡散を防ぐことができる。
【図面の簡単な説明】
【図１】  トップシートの側から示すおむつの部分破断斜視図。
【図２】  図１のＡ−Ａ線断面図。
【図３】  図１のＢ−Ｂ線断面図。
【図４】  図５のＣ−Ｃ線断面図。
【図５】  前後胴周り域を連結した着用状態で示すおむつの斜視図。
【図６】  前後胴周り域を連結した着用状態で示すおむつの斜視図。
【符号の説明】
１            使い捨ておむつ
３            ベースシート
４            吸液性パネル
４ａ          両端縁
４ｂ          両側縁
６            エンドフラップ
７            サイドフラップ
８            プリーツ
９            プリーツ
２０            前胴周り域
２１            股下域
２１ａ          股下域前部
２１ｂ          股下域後部
２２            後胴周り域
【図１】
0003805622.tif 000002
【図２】
0003805622.tif 000003
【図３】
0003805622.tif 000004
【図４】
0003805622.tif 000005
【図５】
0003805622.tif 000006
【図６】
0003805622.tif 000007